(57)【特許請求の範囲】
【請求項１】
第１の紙片と第２の紙片とが剥離可能に貼着される構成を有し、
前記第１の紙片は、
前記第２の紙片と貼着される面に第１の宛先情報が表示された第１の宛先情報表示部と、
前記第２の紙片と貼着される面に通知情報が表示された通知情報表示部とを有し、
前記第２の紙片は、
前記第１の紙片と貼着された場合に前記第１の宛先情報表示部と対向し、前記第１の紙片との貼着面とは反対側の面に第２の宛先情報が表示された第２の宛先情報表示部と、
前記第１の紙片と貼着された場合に前記通知情報表示部と対向し、前記通知情報を隠蔽する情報隠蔽部とを有し、
前記第２の宛先情報表示部と前記情報隠蔽部とが分離可能に構成されている通知用シート。
【請求項２】
請求項１に記載の通知用シートにおいて、
前記情報隠蔽部は、その一部が前記第１の紙片と第２の紙片とを剥離可能に貼着させるための第１の粘着剤よりも粘着力が強い第２の粘着剤によって前記通知情報表示部と貼着される構成を有し、前記第１の粘着剤によって前記通知情報表示部と貼着された領域と前記第２の粘着剤によって前記通知情報表示部と貼着された領域との境界で破断することにより前記通知情報表示部から剥離することを特徴とする通知用シート。
【発明の詳細な説明】
【技術分野】
【０００１】
本発明は、中継者を介して受取人に郵送される通知用シートに関する。
【背景技術】
【０００２】
近年、パーソナルコンピュータやインターネットの急速な普及に伴い、インターネットを介しての情報提供や情報交換が盛んに行われている。このようなインターネットを介しての情報提供や情報交換には、不特定多数を対象として行うものや、所定の利用者のみを対象として行うものがあり、提供される情報の種類やその情報の取り扱い方法に応じてその提供方法が設定されている。
【０００３】
このようにインターネットを介して情報を提供する場合、例えば、インターネット上で情報を配信するサイトを有するシステムに情報提供者が提供したい情報をアップロードし、アップロードした情報を任意の利用者がインターネットを介して閲覧することになるが、アップロードした情報を所定の利用者のみが閲覧可能とするためには、例えばパスワード等による利用者認証を行うことが考えられる。その場合、情報提供者は情報を閲覧可能としたい利用者に対してパスワードを通知しておき、利用者はその情報がアップロードされたサイトにアクセスし、通知されたパスワードを入力することにより所望の情報を閲覧することができるようになる。
【０００４】
ここで、情報がアップロードされたサイトを運営するシステム運営会社において、パスワードの桁数を増やす等、パスワードを変更した場合、アップロードされた情報を閲覧可能となるパスワードが通知されている利用者に対して変更したパスワードを通知しなければならないが、このパスワードは情報提供者が所望の利用者に任意に通知したものであるため、情報がアップロードされたサイトを運営するシステム運営会社においてはパスワードが通知された利用者を管理しておらず、システム運営会社側から通知することはできない。そのため、情報提供者が、既にパスワードを通知した利用者に対して変更したパスワードを通知することになるが、変更したパスワードを電子メール等で通知するのはセキュリティ上の問題があるため、隠蔽片を有するはがきを用いて変更したパスワードを利用者に通知することが考えられ、そのような隠蔽片を剥離可能に貼着する構成を有するはがきは、従来より利用されている（例えば、特許文献１参照。）。
【０００５】
ところが、パスワードの変更は、情報がアップロードされたサイトを運営するシステム運営会社の都合によって行うものであることから、パスワードの変更を郵送で通知するために情報提供者に金銭的な負担をかけることは好ましくはない。
【０００６】
そこで、上述したような隠蔽片を有し、情報がアップロードされたサイトを運営するシステム運営会社を差出人としたはがきに、変更したパスワードを記入し、そのはがきを取りまとめて封筒に封入し、情報がアップロードされたサイトを運営するシステム運営会社宛てに郵送し、その後、情報がアップロードされたサイトを運営するシステム運営会社にて封筒を開封してはがきを取り出し、取り出したはがきを変更したパスワードの通知先に郵送することが考えられる。このような流れにすれば、情報提供者から情報がアップロードされたサイトを運営するシステム運営会社宛てに封筒を郵送する際は料金受取人払いとし、情報がアップロードされたサイトを運営するシステム運営会社が変更されたパスワードの通知先にはがきを郵送する際は料金差出人払いとすることにより、金銭的な負担が情報提供者にかかることはなくなる。
【特許文献１】特開２００５−１２５７７０号公報
【発明の開示】
【発明が解決しようとする課題】
【０００７】
しかしながら、上述したような流れでパスワードを通知する場合、情報提供者が利用者宛とするはがきを取りまとめて封筒に封入しなければならないため、情報提供者の作業が煩雑となってしまい、また、情報がアップロードされたサイトを運営するシステム運営会社にて封筒を開封してはがきを取り出し、取り出したはがきを変更したパスワードの通知先に郵送する作業が生じ、はがきを中継する中継者にとっても作業が煩雑となってしまうという問題点がある。
【０００８】
また、上述したようなパスワードの通知に関わらず、受取人に通知する通知情報を中継者を介して通知する場合、上述したような流れでは中継者等における作業が煩雑になってしまうという問題点がある。
【０００９】
本発明は、上述したような従来の技術が有する問題点に鑑みてなされたものであって、受取人に通知する通知情報が表示された通知用シートを中継者を介して転送する場合に、中継者等における作業が煩雑になることを回避できる通知用シートを提供することを目的とする。
【課題を解決するための手段】
【００１０】
上記目的を達成するために本発明は、
第１の紙片と第２の紙片とが剥離可能に貼着される構成を有し、
前記第１の紙片は、
前記第２の紙片と貼着される面に第１の宛先情報が表示された第１の宛先情報表示部と、
前記第２の紙片と貼着される面に通知情報が表示された通知情報表示部とを有し、
前記第２の紙片は、
前記第１の紙片と貼着された場合に前記第１の宛先情報表示部と対向し、前記第１の紙片との貼着面とは反対側の面に第２の宛先情報が表示された第２の宛先情報表示部と、
前記第１の紙片と貼着された場合に前記通知情報表示部と対向し、前記通知情報を隠蔽する情報隠蔽部とを有し、
前記第２の宛先情報表示部と前記情報隠蔽部とが分離可能に構成されている。
【００１１】
上記のように構成された本発明においては、投函された通知用シートは、まず、第１の紙片と第２の紙片とが剥離可能に貼着された状態で郵送される。この状態においては、第１の紙片の第１の宛先情報表示部に表示された第１の宛先情報と通知情報表示部に表示された通知情報とは第２の紙片によって隠蔽されており、第２の紙片の第２の宛先情報表示部に表示された第２の宛先情報に従って通知用シートが郵送される。そのため、第２の宛先情報として、この通知用シートを中継する中継者の氏名や名称の宛先情報を表示しておけば、通知用シートはまず中継者に郵送されることになる。中継者に郵送された通知用シートは、第２の紙片のうち、第２の宛先情報が表示された第２の宛先情報表示部が、第２の紙片の情報隠蔽部から分離されて第１の紙片から剥離されて郵送される。この状態においては、第１の紙片の通知情報表示部に表示された通知情報は第２の紙片によって隠蔽されているとともに、第１の紙片の第１の宛先情報表示部に表示された第１の宛先情報が表出しており、第１の紙片の第１の宛先情報表示部に表示された第１の宛先情報に従って通知用シートが郵送される。そのため、第１の宛先情報として、この通知用シートの郵送先となる受取人の氏名や名称等の宛先情報を表示しておけば、通知用シートが受取人に郵送されることになる。
【００１２】
このように、投函された通知用シートが、表出している第２の宛先情報に従って中継者に郵送され、その後、第２の宛先情報が表示された第２の宛先情報表示部が分離、剥離されることにより表出した第１の宛先情報に従って受取人に郵送されるので、受取人に通知する通知情報が表示された通知用シートを中継者を介して転送する場合に、中継者等における作業が煩雑になることがない。
【００１３】
また、前記情報隠蔽部は、その一部が前記第１の紙片と第２の紙片とを剥離可能に貼着させるための第１の粘着剤よりも粘着力が強い第２の粘着剤によって通知情報表示部と貼着される構成を有し、前記第１の粘着剤によって前記通知情報表示部と貼着された領域と前記第２の粘着剤によって前記通知情報表示部と貼着された領域との境界で破断することにより前記通知情報表示部から剥離することを特徴とする。
【００１４】
このような構成とすることにより、情報隠蔽部が通知情報表示部から剥離した痕跡が残ることになる。
【発明の効果】
【００１５】
以上説明したように本発明においては、第１の宛先情報が表示された第１の宛先情報表示部と通知情報が表示された通知情報表示部とを有する第１の紙片と、第２の宛先情報が表示された第２の宛先情報表示部と通知情報を隠蔽する情報隠蔽部とを有する第２の紙片とが剥離可能に貼着される構成を有し、第２の宛先情報表示部と情報隠蔽部とが分離可能に構成され、第１の宛先情報が第２の宛先情報表示部によって隠蔽される構成としたため、まず、第１の紙片と第２の紙片とが貼着された状態で表出している第２の宛先情報に従って中継者に郵送され、その後、第２の宛先情報が表示された第２の宛先情報表示部が分離、剥離されることにより表出した第１の宛先情報に従って受取人に郵送されることとなり、受取人に通知する通知情報が表示された通知用シートを中継者を介して転送する場合に、中継者等における作業が煩雑になることを回避できる。
【００１６】
また、情報隠蔽部の一部が、第１の紙片と第２の紙片とを剥離可能に貼着させるための第１の粘着剤よりも粘着力が強い第２の粘着剤によって通知情報表示部と貼着される構成を有し、第１の粘着剤によって通知情報表示部と貼着された領域と第２の粘着剤によって通知情報表示部と貼着された領域との境界で破断することにより通知情報表示部から剥離する構成としたものにおいては、情報隠蔽部が通知情報表示部から剥離した痕跡を残すことができ、それにより、情報隠蔽部が不正に通知情報表示部から剥離された場合にその旨を認識することができる。
【発明を実施するための最良の形態】
【００１７】
以下に、本発明の実施の形態について図面を参照して説明する。
【００１８】
図１は、本発明の通知用シートの一例である転送はがきの実施の一形態を示す図であり、（ａ）は見開いた状態の一方の面を示す図、（ｂ）は見開いた状態の他方の面を示す図、（ｃ）は（ｂ）に示したＡ−Ａ’断面図、（ｄ）は（ａ），（ｂ）に示した２つの紙片１０，２０を貼着した状態を示す表面図、（ｅ）は（ｄ）に示したＢ−Ｂ’断面図である。
【００１９】
本形態は図１に示すように、シート基材５０が第１の紙片１０と第２の紙片とからなり、この２つの紙片１０，２０がミシン目３０を介して折り畳み可能に連接して構成されている。
【００２０】
紙片１０は、第１の宛先情報表示部である受取人宛先情報表示部１１と、通知情報表示部１２とからなる。受取人宛先情報表示部１１には、ミシン目３０を介して２つの紙片１０，２０が折り畳まれて貼着された場合に紙片２０と貼着される面に、この転送はがき１００の最終的な受取人の住所や氏名等の宛先情報を記入するための受取人宛先情報記入領域１５と、切手を貼付するための証紙欄１３とが設けられているとともに、このはがきの種別を示す葉書種別情報１４が記載されている。なお、証紙欄１３には、郵便料金を差出人が支払う旨を示す情報が記載されている。また、受取人宛先情報表示部１１のミシン目３０とは反対側の端辺に沿う領域には、シリコン４３が塗布されている。通知情報表示部１２には、ミシン目３０を介して２つの紙片１０，２０が折り畳まれて貼着された場合に紙片２０と貼着される面に、この転送はがき１００の最終的な受取人に通知すべき通知情報となる情報提供者名を記入するための情報提供者名記入領域１６と、同様に通知情報となるパスワードを記入するためのパスワード記入領域１７とが設けられている。
【００２１】
紙片２０は、第２の宛先情報表示部である中継者宛先情報表示部２１と、情報隠蔽部２２とがミシン目２３を介して分離可能に連接して構成されている。中継者宛先情報表示部２１には、ミシン目３０を介して２つの紙片１０，２０が折り畳まれて貼着された場合に紙片１０と貼着される面とは反対側の面に、この転送はがき１００を中継する中継者の名称である中継者宛先情報２１ａが記載されているとともに、ミシン目３０を介して２つの紙片１０，２０が折り畳まれて貼着された場合に紙片１０に記載された葉書種別情報１４が表出するための葉書種別表出穴２６と、切手を貼付するための証紙欄２７とが設けられている。なお、証紙欄２７には、郵便料金を受取人が支払う旨を示す情報が記載されている。情報隠蔽部２２には、ミシン目３０とは反対側の端辺に沿うようにミシン目２４が形成されているとともに、ミシン目２４の端部近傍のミシン目３０側に切り欠き２５が形成されている。また、ミシン目３０を介して２つの紙片１０，２０が折り畳まれて貼着された場合に紙片１０と貼着される面とは反対側の面に、この転送はがき１００を中継することにより差出人を代理する名称等の代理差出人情報２８が記載されている。また、紙片２０のミシン目３０を介して２つの紙片１０，２０が折り畳まれて貼着された場合に紙片１０と貼着される面には、ミシン目３０とは反対側の端辺に沿う領域に、貼着後の剥離が困難となる程度の強い粘着力を有する第２の粘着剤４２が塗布されており、その他の領域には、貼着後の剥離が容易に可能となる程度の弱い粘着力を有する第１の粘着剤４１が塗布されている。これにより、中継者宛先情報表示部２１においては、２つの紙片１０，２０がミシン目３０を介して折り畳まれた場合に、受取人宛先情報表示部１１に塗布されたシリコン４３に対向する領域のみに粘着剤４２が塗布され、また、情報隠蔽部２２においては、ミシン目２４を介してミシン目３０とは反対側の領域にのみ粘着剤４２が塗布されていることになる。なお、貼着後の剥離が困難とは、人間の手によって基材を剥離した場合に、基材自体が裂かれたり厚み方向に分割されたりする程度に強接着されていることを示す。
【００２２】
上記のように構成された２つの紙片１０，２０は、紙片２０の粘着剤４１，４２が塗布された面が内側となるようにミシン目３０を介して折り畳まれて粘着剤４１，４２によって貼着されて使用される。
【００２３】
以下に、上記のように構成された転送はがき１００の取り扱い方法について、情報が閲覧可能となるパスワードの変更を通知する場合を例に挙げて説明する。
【００２４】
図２は、情報が閲覧可能となるパスワードの変更を通知するために図１に示した転送はがき１００を用いた場合の転送はがき１００が転送されるルートを示す図である。
【００２５】
本例においては、図２に示す差出人１が情報提供者となって、情報管理システム運営会社４が運営するサイトに情報をアップロードしている。受取人２は、情報管理システム運営会社４が運営するサイトにアップロードされた情報を閲覧可能とするパスワードが差出人１から予め通知されており、そのパスワードを用いて情報を閲覧可能としている。
【００２６】
このような関係において、情報管理システム運営会社４が運営するサイトにアップロードされた情報を閲覧可能とするパスワードが変更された場合は、図２に示すように、図１に示した転送はがき１００は、差出人１が転送はがき１００を投函することにより差し出す郵便局３ａと、転送はがき１００を中継する中継者となる情報管理システム運営会社４と、受取人２に転送はがき１００を配達する郵便局３ｂとによって転送されていくことになる。
【００２７】
図３は、図１に示した転送はがき１００の取り扱い方法を説明するためのフローチャートであり、図４は、図１に示した転送はがき１００が取り扱われる場合の転送はがき１００の状態を示す図である。
【００２８】
まず、情報管理システム運営会社４が運営するサイトにアップロードされた情報を閲覧可能とするパスワードが変更となった旨を受取人２に通知したい差出人１は、図１に示した転送はがき１００を郵便局３ａから取得してくる。郵便局３ａから取得してきた転送はがき１００は、図４（ａ）に示すように、紙片２０の粘着剤４１，４２が塗布された面の全面に剥離紙６０が貼付されており、２つの紙片１０，２０が見開き状態となっている。
【００２９】
そして、図４（ｂ）に示すように、差出人１が、紙片１０の受取人宛先情報記入領域１５に受取人２の住所や氏名等の受取人宛先情報１５ａを記入し、また、情報提供者名記入領域１６に差出人１の氏名となる情報提供者名１６ａを記入し、さらに、パスワード記入領域１７に変更したパスワード１７ａを記入する。これにより、差出人１が受取人２に通知する通知情報となる情報提供者名１６ａ及びパスワード１７ａが記入されることになる（ステップＳ１）。
【００３０】
次に、紙片２０から剥離紙６０を剥離して粘着剤４１，４２を表出させ、この粘着剤４１，４２が表出した面が内側となるように２つの紙片１０，２０をミシン目３０を介して折り畳み、粘着剤４１，４２によって２つの紙片１０，２０を貼着させる（ステップＳ２）。この際、２つの紙片１０，２０は、受取人宛先情報表示部１１と中継者宛先情報表示部２１とが互いに対向するとともに、通知情報表示部１２と情報隠蔽部２２とが互いに対向することとなる。それにより、受取人宛先情報表示部１１の受取人宛先情報記入領域１５に記入された受取人宛先情報１５ａは中継者宛先情報表示部２１によって隠蔽され、また、通知情報表示部１２の情報提供者名記入領域１６及びパスワード記入領域１７にそれぞれ記入された情報提供者名１６ａ及びパスワード１７ａは情報隠蔽部２２によって隠蔽されることになる。また、図４（ｃ）に示すように、中継者宛先情報表示部２１に記載された中継者宛先情報２１ａと、情報隠蔽部２２に記載された代理差出人情報２８とが表出するとともに、受取人宛先情報表示部１１に記載された葉書種別情報１４が、中継者宛先情報表示部２１に設けられた葉書種別情報表出穴２６を介して表出することになる。
【００３１】
このように２つの紙片１０，２０がミシン目３０を介して折り畳まれて互いに貼着された転送はがき１００は、投函することにより郵便局３ａに差し出され（ステップＳ３）、中継者宛先情報表示部２１に記載された中継者宛先情報２１ａに従って情報管理システム運営会社４に郵送されることになる（ステップＳ４）。この際、中継者宛先情報表示部２１に設けられた証紙欄２７には、上述したように郵便料金を受取人が支払う旨を示す情報が記載されているため、この転送はがき１００が郵便区分け機を通過する際に証紙欄２７に記載された情報が読み取られ、図４（ｃ）に示した状態における転送はがき１００の受取人となる情報管理システム運営会社４に、転送はがき１００の郵送料金が課金される。
【００３２】
転送はがき１００が情報管理システム運営会社４に届けられると、情報管理システム運営会社４において、図４（ｄ）に示すように、中継者宛先情報表示部２１が紙片１０から剥離されていくとともに、ミシン目２３が破断して情報隠蔽部２２から分離されていく（ステップＳ５）。ここで、中継者宛先情報表示部２１のミシン目３０とは反対側の端辺に沿う領域には、貼着後の剥離が困難となる程度の強い粘着力を有する粘着剤４２が塗布されているが、紙片１０の粘着剤４２に対向する領域にシリコン４３が塗布されており、かつ、中継者宛先情報表示部２１のその他の領域に塗布された粘着剤４１は、貼着後の剥離が容易に可能となる程度の弱い粘着力を有するものであるため、中継者宛先情報表示部２１を紙片１０から剥離することができる。
【００３３】
中継者宛先情報表示部２１が情報隠蔽部２２から分離して紙片１０から剥離されると、図４（ｅ）に示すように、受取人宛先情報表示部１１の受取人宛先情報記入領域１５に記入された受取人宛先情報１５ａが表出する。
【００３４】
このように受取人宛先情報１５ａが表出した転送はがき１００は、情報管理システム運営会社４から郵便局３ｂに差し出され、受取人宛先情報表示部１１の受取人宛先情報記入領域１５に記入された受取人宛先情報１５ａに従って受取人２に郵送されることになる（ステップＳ６）。この際、受取人宛先情報表示部１１に設けられた証紙欄１３には、上述したように郵便料金を差出人が支払う旨を示す情報が記載されているため、この転送はがき１００が郵便区分け機を通過する際に証紙欄１３に記載された情報が読み取られ、図４（ｅ）に示した状態における転送はがき１００の差出人となる情報管理システム運営会社４に、転送はがき１００の郵送料金が課金される。また、紙片１０からは中継者宛先情報表示部２１が剥離されたものの、情報隠蔽部２２は貼着されたままの状態であるため、通知情報表示部１２の情報提供者名記入領域１６及びパスワード記入領域１７にそれぞれ記入された情報提供者名１６ａ及びパスワード１７ａは情報隠蔽部２２によって隠蔽された状態で転送はがき１００が受取人２に郵送されることになる。
【００３５】
転送はがき１００が受取人２に届けられると、図４（ｆ）に示すように、受取人２によって切り欠き２５が摘まれてミシン目２４が破断しながら情報隠蔽部２２が紙片１０から剥離されていく（ステップＳ７）。ここで、情報隠蔽部２２のミシン目２４を介してミシン目３０とは反対側の領域に塗布された粘着剤４２は、上述したように貼着後の剥離が困難となる程度の強い粘着力を有するものである一方、情報隠蔽部２２のミシン目２４を介してミシン目３０側となる領域に塗布された粘着剤４１は、貼着後の剥離が容易に可能となる程度の弱い粘着力を有するものであるため、情報隠蔽部２２は、粘着剤４１によって紙片１０の通知情報表示部１２に貼着された領域と粘着剤４２によって紙片１０の通知情報表示部１２に貼着された領域との境界となるミシン目２４が破断することにより紙片１０の通知情報表示部１２から剥離されることになる。
【００３６】
そして、情報隠蔽部２２が紙片１０から剥離されると、図４（ｇ）に示すように、通知情報表示部１２の情報提供者名記入領域１６及びパスワード記入領域１７にそれぞれ記入された情報提供者名１６ａ及びパスワード１７ａが表出し、これら情報提供者名１６ａ及びパスワード１７ａが受取人２に通知されることになる（ステップＳ８）。なお、このように、情報隠蔽部２２を紙片１０から剥離する際にミシン目２４が破断されることになるため、転送はがき１００の郵送途中において、情報隠蔽部２２が不正に紙片１０から剥離され、通知情報表示部１２の情報提供者名記入領域１６及びパスワード記入領域１７にそれぞれ記入された情報提供者名１６ａ及びパスワード１７ａが盗み見られた場合にその痕跡を残すことができる。
【００３７】
上述したように本形態においては、まず、中継者宛先情報２１ａが表出した状態で、この転送はがき１００が中継者宛先情報２１ａに従って差出人１から中継者となる情報管理システム運営会社４に郵送され、その後、情報管理システム運営会社４にて中継者宛先情報２１ａが表示された中継者宛先情報表示部２１が分離されることにより、受取人宛先情報表示部１１に記入された受取人宛先情報１５ａが表出し、この状態で、表出した受取人宛先情報１５ａに従ってこの転送はがき１００が中継者となる情報管理システム運営会社４から受取人２に郵送され、その後、受取人２が情報隠蔽部２２を通知情報表示部１２から剥離することにより、通知情報表示部１２の情報提供者名記入領域１６及びパスワード記入領域１７にそれぞれ記入された情報提供者名１６ａ及びパスワード１７ａが受取人２に通知されることになる。このような構成とすることにより、転送はがき１００が差出人１から情報管理システム運営会社４に郵送される際は、郵送料金をこの状態における受取人である情報管理システム運営会社４が支払うようにし、また、転送はがき１００が情報管理システム運営会社４から受取人２に郵送される際は、郵送料金をこの状態における差出人である情報管理システム運営会社４が支払うようにすれば、パスワードの変更を受取人２に通知する差出人１が郵送料金を負担することがなくなり、また、差出人１が転送はがきをとりまとめて封筒に封入して情報管理システム運営会社４に郵送したり、情報管理システム運営会社４にて封筒を開封してはがきを取り出し、取り出したはがきを受取人２に郵送する等の手間が生じることがなくなる。
【００３８】
なお、本形態においては、受取人宛先情報表示部１１の粘着剤４２に対向する領域にシリコン４３が塗布されることにより、受取人宛先情報表示部１１全体を中継者宛先情報表示部２１から剥離可能としているが、粘着剤４２を用いずに、中継者宛先情報表示部２１の受取人宛先情報表示部１１に対向する面の全面に、上述したような粘着力が弱い粘着剤４１を塗布することにより、受取人宛先情報表示部１１全体を中継者宛先情報表示部２１から剥離可能としてもよい。
【００３９】
また、本形態においては、互いに貼着される２つの紙片１０，２０がミシン目３０を介して連接した構成のものを例に挙げて説明したが、本発明はこれに限らず、２つの紙片１０，２０が連接していなくとも、互いに貼着される構成であればよい。
【００４０】
また、本形態においては、情報管理システム運営会社４が運営するサイトにアップロードされた情報を閲覧可能とするパスワードの変更を通知する場合に、情報管理システム運営会社４が転送はがき１００を中継することにより差出人を代理してその料金を負担しているものを例に挙げて説明したが、その他に例えば、銀行口座の口座番号の変更通知を行う場合にその口座を有する銀行が転送はがき１００を中継することにより差出人を代理してその料金を負担する場合等、利用者の個人属性情報を第三者に通知する場合において本発明の通知用シートを利用することができる。
【図面の簡単な説明】
【００４１】
【図１】本発明の通知用シートの一例である転送はがきの実施の一形態を示す図であり、（ａ）は見開いた状態の一方の面を示す図、（ｂ）は見開いた状態の他方の面を示す図、（ｃ）は（ｂ）に示したＡ−Ａ’断面図、（ｄ）は（ａ），（ｂ）に示した２つの紙片を貼着した状態を示す表面図、（ｅ）は（ｄ）に示したＢ−Ｂ’断面図である。
【図２】情報が閲覧可能となるパスワードの変更を通知するために図１に示した転送はがきを用いた場合の転送はがきが転送されるルートを示す図である。
【図３】図１に示した転送はがきの取り扱い方法を説明するためのフローチャートである。
【図４】図１に示した転送はがきが取り扱われる場合の転送はがきの状態を示す図である。
【符号の説明】
【００４２】
１    差出人
２    受取人
３ａ，３ｂ    郵便局
４    情報管理システム運営会社
１０，２０    紙片
１１    受取人宛先情報表示部
１２    通知情報表示部
１３，２７    証紙欄
１４    葉書種別情報
１５    受取人宛先情報記入領域
１５ａ    受取人宛先情報
１６    情報提供者名記入領域
１６ａ    情報提供者名
１７    パスワード記入領域
１７ａ    パスワード
２１    中継者宛先情報表示部
２１ａ    中継者宛先情報
２２    情報隠蔽部
２３，２４，３０    ミシン目
２５    切り欠き
２６    葉書種別情報表出穴
２８    代理差出人情報
４１，４２    粘着剤
４３    シリコン
５０    シート基材
６０    剥離紙
１００    転送はがき                                                                              
【図１】
0005041970.tif 000002
【図２】
0005041970.tif 000003
【図３】
0005041970.tif 000004
【図４】
0005041970.tif 000005